(57)【要約】      （修正有）【課題】改良したカスタマイズ可能な組み立て式発光モジュールを提供する。【解決手段】カスタマイズ可能な組み立て式発光モジュールは、発光ユニット２ａとレンズユニット４ａとを備える。発光ユニット２ａの両側の端部から第１係着手段２２ａがそれぞれ上方へ延出される。レンズユニット４ａは、レンズ４０ａと、レンズ４０ａの両側の端部にそれぞれ形成される２つの第２係着手段４１ａとを有する。２つの第１係着手段２２ａと２つの第２係着手段４１ａとを組み合わせることにより、レンズユニット４ａは脱着可能に発光ユニット２ａの上方に配置される。よって、ユーザのニーズに応じて発光素子２１ａとレンズ４０ａを変更することができる。また、２つの第１係着手段２２ａのそれぞれの外側に凹状係着部２２０ａが形成され、発光ユニット２ａはこの２つの凹状係着部２２０ａによって上下逆さまな状態で係止フックユニットに係着される。【選択図】図１Ａ
2010108844.tif 000002
【特許請求の範囲】
【請求項１】
回路基板、回路基板に実装された複数の発光素子、および２つの第１係着手段を有する発光ユニットと、２つの第２係着手段を有するレンズユニットとを備え、
レンズユニットは、２つの第１係着手段と２つの第２係着手段とを組み合わせることにより脱着可能に発光ユニットに組み合わされることを特徴とする組み立て式発光モジュール。
【請求項２】
前記２つの第１係着手段は、前記回路基板の上方へ延出され、
前期２つの第１係着手段それぞれの外側には凹状係着部が設けられ、
前記レンズユニットは、レンズを有し、
前記２つの第２係着手段は、前記レンズの両側の端部に形成され、
前記レンズユニットは、脱着可能に前記発光ユニットの上方に配置され、
前記発光ユニットは、前記２つの凹状係着部によって上下逆さまな状態で係止フックユニットに係着されることを特徴とする請求項１記載の組み立て式発光モジュール。
【請求項３】
前記２つの第１係着手段は互いに向かい合う第１スライドスロット構造であって、
前記２つの第２係着手段は互いに反対側を向く第２スライドスロット構造であって、
前記第１スライドスロット構造と前記第２スライドスロット構造は、互いに摺動可能に嵌合することを特徴とする請求項２記載の組み立て式発光モジュール。
【請求項４】
前記発光ユニットの両側の開口端部それぞれを塞ぐための２つの封蓋ユニットを備え、
前記２つの封蓋ユニットそれぞれは、封蓋本体と、封蓋本体から突出し前記２つの第１係着手段と緊密に嵌合する凸部とを備えていることを特徴とする請求項２記載の組み立て式発光モジュール。
【請求項５】
前記２つの第１係着手段は、前記発光ユニットの両側の端部に形成され、
前記レンズユニットは、レンズを有し、
前記２つの第２係着手段は、前記レンズの両側の端部から下方へ延出され、
前記レンズユニットは、脱着可能に前記発光ユニットの上方に配置され、
前記２つの第１係着手段それぞれは、前記回路基板の上方へ延出され、
前記２つの第１係着手段は、互いに向かい合う第１スライドスロット構造であって、
前記２つの第２係着手段は、互いに反対側を向く第２スライドスロット構造であって、
前記第１スライドスロット構造と前記第２スライドスロット構造は、互いに摺動可能に嵌合し、
前記２つの第２係着手段の外側には、凹状係着部が設けられ、
前記レンズユニットは、前記２つの凹状係着部によって上下逆さまな状態で係止フックユニットの下端に係着されることを特徴とする請求項１記載の組み立て式発光モジュール。
【請求項６】
前記発光ユニットの両側の開口端部それぞれを塞ぐための２つの封蓋ユニットを備え、
前記２つの封蓋ユニットそれぞれは、封蓋本体と、封蓋本体から突出し前記第２係着手段と緊密に嵌合する凸部とを備えていることを特徴とする請求項５記載の組み立て式発光モジュール。
【請求項７】
前記２つの第１係着手段は、前記発光ユニットの両側の端部に形成され、
前記レンズユニットは、透明中空構造と、当該透明中空構造と一体成形されたレンズとを有し、
前記２つの第２係着手段は、前記透明中空構造の裏面にそれぞれ形成され、
前記発光ユニットは、脱着可能に前記レンズユニットの透明中空構造の中に配置され、
前記レンズは、前記透明中空構造の頂部に設けられて前記発光ユニットの上方に位置し、
前記２つの第２係着手段は、前記透明中空構造の裏面に互いに向かい合うように形成されていることを特徴とする請求項１記載の組み立て式発光モジュール。
【発明の詳細な説明】
【技術分野】
【０００１】
本発明は、発光モジュールに関し、さらに詳しくは、ユーザのニーズに応じて発光素子とレンズを変更することができるカスタマイズ可能な組み立て式発光モジュールに関する。
【背景技術】
【０００２】
従来の照明設備は、ユーザに必要な照明光を提供するためのもので、例えば、照明や美化を図るために用いられるものである。しかし、従来の照明設備はその仕様（散熱効果、発光効果、投射角度）が決まったもので、ユーザが一旦選定すると、他の部品と入れ替えることができない。したがって、従来の照明設備は、部品の入替えや更新をすることができるような融通性を有していない。
【０００３】
よって、従来の照明器具や設備には、非常に不便である等の欠点を有するという課題があり、解決すべきである。
【発明の開示】
【発明が解決しようとする課題】
【０００４】
本発明は、かかる知見に基づいて開発されたものである。本発明者は、上記課題を解決すべく鋭意検討し、更に改良を重ねた結果、本発明を完成するに至った。
【０００５】
本発明の目的は、改良したカスタマイズ可能な組み立て式発光モジュールを提供することにある。本発明に係る改良したカスタマイズ可能な組み立て式発光モジュールは、ユーザの必要に応じて自由に入れ替え可能な発光ユニットとレンズユニットを有する。よって、本発明に係る改良したカスタマイズ可能な組み立て式発光モジュールは、所望する発光効果に応じて発光ユニットを異なる発光ユニットに入れ替えることができるばかりでなく、所望する投射角に応じてレンズユニットを異なるレンズユニットに入れ替えることもできる。
【課題を解決するための手段】
【０００６】
本発明は、上記課題を解決するため、以下の手段を採用する。
【０００７】
本発明の一態様による改良したカスタマイズ可能な組み立て式発光モジュールは、発光ユニットとレンズユニットとを備える。発光ユニットの両側の端部から第１係着手段がそれぞれ上方へ延出されている。レンズユニットは、レンズと、レンズの両側の端部にそれぞれ形成される２つの第２係着手段とを有する。２つの第１係着手段と２つの第２係着手段とを組み合わせることにより、レンズユニットは脱着可能に発光ユニットの上方に配置される。また、２つの第１係着手段それぞれの外側には凹状係着部が設けられ、且つ発光ユニットは、この２つの凹状係着部によって上下逆さまな状態で係止フックユニットに係着される。
【０００８】
また、本発明の一態様による改良したカスタマイズ可能な組み立て式発光モジュールは、発光ユニットとレンズユニットとを備える。発光ユニットの両側の端部にはそれぞれ第１係着手段が設けられる。レンズユニットは、レンズと、レンズの両側の端部からそれぞれ下方へ延出された第２係着手段とを有する。２つの第１係着手段と２つの第２係着手段とを組み合わせることにより、レンズユニットは脱着可能に発光ユニットの上方に配置される。また、２つの第２係着手段それぞれの外側には凹状係着部が設けられ、且つレンズユニットは、この２つの凹状係着部によって上下逆さまな状態で係止フックユニットの下端に係着される。
【０００９】
更に、本発明の一態様による改良したカスタマイズ可能な組み立て式発光モジュールは、発光ユニットとレンズユニットと２つの封蓋ユニットとを備える。発光ユニットは、回路基板と、回路基板に実装された複数の発光素子と、回路基板の両側の端部に形成される２つの第１係着手段とを有する。レンズユニットは、透明中空構造と、その透明中空構造と一体成形されたレンズと、それぞれ透明中空構造の裏面に成形された２つの第２係着手段とを有する。また、２つの第２係着手段は、２つの第１係着手段と互いに対応する。よって、２つの第１係着手段と２つの第２係着手段とを組み合わせることにより、発光ユニットは脱着可能に透明中空構造の中に配置される。
【発明の効果】
【００１０】
上記の構成からなる本発明に係る改良したカスタマイズ可能な組み立て式発光モジュールは、下記のような利点を持つ。
【００１１】
第１に、発光ユニットの入れ替え性により、所望する発光効果に応じて間隔距離、発光色、数量、パワーの異なる発光素子を選ぶことができる。
【００１２】
第２に、レンズユニットの入れ替え性（２つの第１係着手段と２つの第２係着手段とを組み合わせることにより、レンズユニットは脱着可能に発光ユニットの上方に配置される）により、所望する光投射角に応じて異なるレンズを選ぶことができる。
【００１３】
第３に、一つの実施例によると、発光ユニットは、２つの凹状係着部を介して、上下逆さまな状態で係止フックユニットに係着される。これにより、発光素子から発せられた光はレンズを透過して下方へ投射され、所望する照明効果（所定な投射角を持つ投射光）を与えることができる。
【００１４】
第４に、もう一つの実施例によると、レンズユニットは、２つの凹状係着部を介して、上下逆さまな状態で係止フックユニットの下端に係着される。これにより、発光素子から発した光はレンズを透過して下方へ投射され、所望する照明効果（所定の投射角を持つ投射光）を与えることができる。
【００１５】
第５に、他の一つの実施例によると、２つの第２係着手段は、第１係着手段と互いに対応する。したがって、２つの第１係着手段と２つの第２係着手段とを組み合わせることにより、発光ユニットは脱着可能に透明中空構造の中に配置される。
【発明を実施するための最良の形態】
【００１６】
以下、本発明を実施例と添付図面に基づき更に具体的に説明する。本発明の特徴及び利点は、以下の詳細な記述及び添付図面に関連して一層良く理解されるものであるが、本発明は下記の実施例や図面により制限されるものではない。
【００１７】
（第１実施例）
まず、図１Ａ〜図１Ｄを参照して、本発明の第１実施例について説明する。
【００１８】
図１Ａは、本発明の第１実施例に係る改良したカスタマイズ可能な組み立て式発光モジュールの分解斜視図である。図１Ｂは、同実施例の組み立てた状態の斜視図である（図では、一方の封蓋ユニット５ａを開けた状態を示している）。図１Ｃは、同実施例の側面図である（図では、一方の封蓋ユニット５ａを開けた状態を示している）。図１Ｄは、同実施例の発光モジュールにおける発光ユニットを係止フックユニットに係着した状態の側面図である。上述したことからわかるように、本発明の第１実施例に係る改良したカスタマイズ可能な組み立て式発光モジュールは、発光ユニット２ａと、レンズユニット４ａと、２つの封蓋ユニット５ａとを備える。
【００１９】
発光ユニット２ａは、回路基板２０ａと、回路基板２０ａに実装された複数の発光素子２１ａと、回路基板２０ａの上方に延出された２つの第１係着手段２２ａとを有する。２つの第１係着手段２２ａそれぞれに、その外側を内側へ凹ませてなる凹状係着部２２０ａが形成される。一方、発光ユニット２ａに用いる複数の発光素子２１ａとしては、ユーザは所望する発光効果に応じて間隔距離、発光色、数量、パワーの異なる発光素子を選ぶことができ、たとえば、発光ダイオード（ＬＥＤ）を用いることができる。
【００２０】
レンズユニット４ａは、レンズ４０ａと、レンズ４０ａの両側それぞれに形成される２つの第２係着手段４１ａとを有する。また、２つの第２係着手段４１ａは２つの第１係着手段２２ａと互いに対応する。したがって、２つの第１係着手段２２ａと２つの第２係着手段４１ａとを組み合わせることにより、レンズユニット４ａは脱着可能に発光ユニット２ａに取り付けられ、発光ユニット２ａの上方に位置する。第１実施例によると、２つの第１係着手段２２ａは互いに対向する第１スライドスロット構造であって、２つの第２係着手段４１ａはレンズ４０ａの両側面に開口する第２スライドスロット構造である。第１スライドスロット構造と第２スライドスロット構造は、互いに摺動可能に嵌合することができる。しかし、第１スライドスロット構造と第２スライドスロット構造が互いに嵌合するということは、単なる例示に過ぎないものである。何れの手段の組合せによりレンズユニット４ａを脱着可能に発光ユニット２ａの上方に設けることができればよく、このような実施形態に限定されず、様々変形可能である。
【００２１】
また、２つの封蓋ユニット５ａは、発光ユニット２ａの両側の開口端部それぞれを塞ぐためのものである。２つの封蓋ユニット５ａそれぞれは、封蓋本体５０ａと、この封蓋本体５０ａから突出し第１係着手段２２ａと緊密に嵌合する凸部５１ａとを備える。
【００２２】
図１Ｃに示すように、発光素子２１ａから発せられた光Ｓは、レンズ４０ａを透過して所定の投射角を持つ投射光Ｐ１になる。よって、本発明によると、ユーザは所望の投射角に応じて異なるレンズを選ぶことができる。
【００２３】
図１Ｄに示すように、発光ユニット２ａは、２つの凹状係着部２２０ａによって、上下逆さまな状態で係止フックユニット６ａに係着される。例示すると、ユーザが本発明に係る改良したカスタマイズ可能な組み立て式発光モジュールを天井（または壁など）に取り付けようとする場合、予め天井に固定した係止フックユニット６ａの２つの係止フック手段６０ａに２つの凹状係着部２２０ａをそれぞれ係着することで、発光ユニット２ａが上下逆さまな状態で２つの係止フック手段６０ａの間に挟まれるようにする。このとき、回路基板２０ａは係止フックユニット６ａに内蔵され、且つレンズ４０ａは係止フックユニット６ａの外に露出される。これにより、発光素子２１ａから発せられた光Ｓはレンズ４０ａを透過して下方へ投射され、ユーザが所望する照明効果を与える（所定の投射角を持つ投射光Ｐ１）。また、レンズ４０ａを入れ替えれば、異なる投射角を持つ投射光Ｐ１を得ることもできる。
【００２４】
図１Ｅは、本発明の第１実施例に係る改良したカスタマイズ可能な組み立て式発光モジュールに、他のレンズユニットを用いたものの側面図である（図では、一方の封蓋ユニット５ａを開けた状態を示している）。図面からわかるように、図１Ｃと異なった所はレンズ４０ａである。即ち、第１実施例に用いられた元のレンズ４０ａの代わりに、他のレンズＬを使用する。発光素子２１ａから発せられた光ＳはレンズＬを透過して所定の投射角を持つ投射光Ｐ２になる。
【００２５】
（第２実施例）
図２Ａ〜図２Ｄを参照して、本発明の第２実施例について説明する。
【００２６】
図２Ａは、本発明の第２実施例に係る改良したカスタマイズ可能な組み立て式発光モジュールの分解斜視図である。図２Ｂは、同実施例の組み立てた状態の斜視図である（図では、一方の封蓋ユニット５ｂを開けた状態を示している）。図２Ｃは、同実施例の側面図である（図では、一方の封蓋ユニット５ｂを開けた状態を示す）。図２Ｄは、同実施例の発光モジュールにおける発光ユニットを係止フックユニットに係着した状態の側面図である。上述したことからわかるように、本発明の第２実施例に係る改良したカスタマイズ可能な組み立て式発光モジュールは、発光ユニット２ｂと、レンズユニット４ｂと、２つの封蓋ユニット５ｂとを備える。
【００２７】
発光ユニット２ｂは、回路基板２０ｂと、回路基板２０ｂに実装された複数の発光素子２１ｂと、回路基板２０ｂの上方へ延出された２つの第１係着手段２２ｂとを有する。一方、発光ユニット２ｂに用いる複数の発光素子２１ｂとしては、ユーザは所望する発光効果に応じて間隔距離、発光色、数量、パワーの異なる発光素子を選ぶことができる。
【００２８】
レンズユニット４ｂは、レンズ４０ｂと、レンズ４０ｂの両側の端部それぞれから下方へ延出された２つの第２係着手段４１ｂとを有する。２つの第２係着手段４１ｂそれぞれに、その外側を内側へ凹ませてなる凹状係着部４１０ｂが形成される。また、２つの第２係着手段４１ｂは、第１係着手段２２ｂと互いに対応する。したがって、２つの第１係着手段２２ｂと２つの第２係着手段４１ｂとを組み合わせることにより、レンズユニット４ｂは脱着可能に発光ユニット２ｂに取り付けられ、発光ユニット２ａの上方に位置する。第２実施例によると、２つの第１係着手段２２ｂは互いに対向する第１スライドスロット構造であって、２つの第２係着手段４１ｂはレンズ４０ｂの両側に開口する第２スライドスロット構造である。第１スライドスロット構造と第２スライドスロット構造は、互いに摺動可能に嵌合することができる。しかし、第１スライドスロット構造と第２スライドスロット構造が互いに嵌合することは、単なる例示に過ぎないものである。何れの手段の組合せによりレンズユニット４ｂを脱着可能に発光ユニット２ｂの上方に設けることができればよく、このような実施形態に限定されず、様々変形可能である。
【００２９】
また、２つの封蓋ユニット５ｂは、発光ユニット２ｂの両側の開口端部をそれぞれ塞ぐためのものである。２つの封蓋ユニット５ｂそれぞれは、封蓋本体５０ｂと、この封蓋本体５０ｂから突出し２つの第１係着手段２２ｂと緊密に嵌合する凸部５１ｂとを備える。
【００３０】
図２Ｃに示すように、発光素子２１ｂから発せられた光Ｓが、レンズ４０ｂを透過して所定の投射角を持つ投射光Ｐ３になる。よって、本発明によると、ユーザは自分の所望する投射角に応じて異なるレンズを選ぶことができる。
【００３１】
図２Ｄに示すように、レンズユニット４ｂは、２つの凹状係着部４１０ｂによって、上下逆さまな状態で係止フックユニット６ｂの下端に係着される。例示すると、ユーザが本発明に係る改良したカスタマイズ可能な組み立て式発光モジュールを天井（または壁など）に取り付けようとする場合、予め天井に固定した係止フックユニット６ｂの２つの係止フック手段６０ｂに２つの凹状係着部４１０ｂをそれぞれ係着することで、発光ユニット２ｂが上下逆さまな状態で２つの係止フック手段６０ｂの間に挟まれるようにする。このとき、発光ユニット２ｂは係止フックユニット６ｂに内蔵され、且つレンズ４０ｂは係止フックユニット６ｂの外に露出する。これにより、発光素子２１ｂから発せられた光Ｓはレンズ４０ｂを透過して下へ投射され、ユーザが所望する照明効果を与える（所定の投射角を持つ投射光Ｐ３）。また、レンズ４０ｂを入れ替えれば、異なる投射角を持つ投射光Ｐ３を得ることもできる。
【００３２】
（第３実施例）
図３Ａ〜図３Ｃを参照して、本発明の第３実施例について説明する。
【００３３】
図３Ａは、本発明の第３実施例に係る改良したカスタマイズ可能な組み立て式発光モジュールの分解斜視図である。図３Ｂは、同実施例の組み立てた状態の斜視図である（図では、一方の封蓋ユニット５ｃを開けた状態を示している）。図３Ｃは、同実施例の側面図である（図では、一方の封蓋ユニット５ｃを開けた状態を示している）。上述したことからわかるように、本発明の第３実施例に係る改良したカスタマイズ可能な組み立て式発光モジュールは、発光ユニット２ｃと、レンズユニット４ｃと、２つの封蓋ユニット５ｃとを備える。
【００３４】
発光ユニット２ｃは、回路基板２０ｃと、回路基板２０ｃに実装された複数の発光素子２１ｃと、回路基板２０ｃの両側の端部に形成された２つの第１係着手段２２ｃとを有する。一方、発光ユニット２ｃに用いる複数の発光素子２１ｃとしては、ユーザは所望する発光効果に応じて間隔距離、発光色、数量、パワーの異なる発光素子を選ぶことができる。
【００３５】
また、レンズユニット４ｃは、透明中空構造４ｃ’と、透明中空構造４ｃ’と一体成形したレンズ４０ｃと、透明中空構造４ｃ’の裏面４０ｃ’の壁に成形された第２係着手段４１ｃとを有する。レンズ４０ｃは、透明中空構造４ｃ’の頂部に設けられ、発光ユニット２ｃの上方に位置する。また、２つの第２係着手段４１ｃは、第１係着手段２２ｃと互いに対応する。したがって、２つの第１係着手段２２ｃと２つの第２係着手段４１ｃとを組み合わせることにより、発光ユニット２ｃは脱着可能に透明中空構造４ｃ’の中に配置される。第３実施例によると、２つの第１係着手段２２ｃは互いに反対側を向くように形成され、２つの第２係着手段４１ｃは互いに向かい合うように透明中空構造４ｃ’の裏面４０ｃ’の壁に成形される。また、第１係着手段２２ｃと第２係着手段４１ｃは互いに摺動可能に嵌合することができる。
【００３６】
また、２つの封蓋ユニット５ｃは、レンズユニット４ｃの両側の開口端部をそれぞれ塞ぐためのものである。２つの封蓋ユニット５ｃそれぞれは、封蓋本体５０ｃと、この封蓋本体５０ｃから突出し透明中空構造４ｃ’と緊密に嵌合する凸部５１ｃとが備える。
【００３７】
図３Ｃに示すように、発光素子２１ｃから発した光Ｓは、レンズ４０ｃを透過して所定の投射角を持つ投射光Ｐ４になる。よって、本発明によると、ユーザは所望する投射角に応じて異なるレンズを選ぶことができる。
【００３８】
以上述べたように、本発明に係る改良したカスタマイズ可能な組み立て式発光モジュールによると、所望する発光効果に応じて発光ユニットを異なる発光ユニットに入れ替えることができるばかりでなく、所望する投射角に応じてレンズユニットを異なるレンズユニットに入れ替えることもできる。よって、本発明に係る改良したカスタマイズ可能な組み立て式発光モジュールは、下記のような利点を持つ。
【００３９】
第１に、発光ユニットの入れ替え性により、所望する発光効果に応じて間隔距離、発光色、数量、パワーの異なる発光素子を選ぶことができる。
【００４０】
第２に、レンズユニットの入れ替え性（２つの第１係着手段と２つの第２係着手段とを組み合わせることにより、レンズユニットは脱着可能に発光ユニットの上方に設けられる）により、所望する光投射角に応じて異なるレンズを選ぶことができる。
【００４１】
第３に、第１実施例によると、発光ユニット２ａは、２つの凹状係着部２２０ａによって、上下逆さまな状態で係止フックユニット６ａに係着される。これにより、発光素子２１ａから発せられた光Ｓはレンズ４０ａを透過して下方へ投射され、ユーザが所望する照明効果を与える（所定の投射角を持つ投射光Ｐ１）。
【００４２】
第４に、第２実施例によると、レンズユニット４ｂは、２つの凹状係着部４１０ｂによって、上下逆さまな状態で係止フックユニット６ｂの下端に係着される。これにより、発光素子２１ｂから発せられた光Ｓはレンズ４０ｂを透過して下方へ投射され、ユーザが所望する照明効果を与える（所定の投射角を持つ投射光Ｐ３）。
【００４３】
第５に、第３実施例によると、２つの第２係着手段４１ｃは、第１係着手段２２ｃと互いに対応する。したがって、２つの第１係着手段２２ｃと２つの第２係着手段４１ｃとを組み合わせることにより、発光ユニット２ｃは脱着可能に透明中空構造４ｃ’の中に配置される。
【００４４】
以上、本発明の好ましい具体的な実施例について説明したが、本発明の技術範囲はそれらの実施例に限定されることなく、本発明の趣旨を逸脱しない範囲において様々な改良、修正、変形等が可能であることは当業者に明白であろう。
【図面の簡単な説明】
【００４５】
【図１Ａ】本発明の第１実施例に係る改良したカスタマイズ可能な組み立て式発光モジュールの分解斜視図である。
【図１Ｂ】同実施例の組み立てた状態の斜視図である。
【図１Ｃ】同実施例の側面図である。
【図１Ｄ】同実施例の発光モジュールにおける発光ユニットを係止フックユニットに係着した状態の側面図である。
【図１Ｅ】本発明の第１実施例に係る改良したカスタマイズ可能な組み立て式発光モジュールに、他のレンズユニットを用いたものの側面図である。
【図２Ａ】本発明の第２実施例に係る改良したカスタマイズ可能な組み立て式発光モジュールの分解斜視図である。
【図２Ｂ】同実施例の組み立てた状態の斜視図である。
【図２Ｃ】同実施例の側面図である。
【図２Ｄ】同実施例の発光モジュールにおける発光ユニットを係止フックユニットに係着した状態の側面図である。
【図３Ａ】本発明の第３実施例に係る改良したカスタマイズ可能な組み立て式発光モジュールの分解斜視図である。
【図３Ｂ】同実施例の組み立てた状態の斜視図である。
【図３Ｃ】同実施例の側面図である。
【符号の説明】
【００４６】
２ａ，２ｂ，２ｃ    発光ユニット
２０ａ，２０ｂ，２０ｃ    回路基板
２１ａ，２１ｂ，２１ｃ    発光素子
２２ａ，２２ｂ，２２ｃ    第１係着手段
２２０ａ    凹状係着部
４ａ，４ｂ，４ｃ    レンズユニット
４ｃ’    透明中空構造
４０ａ，４０ｂ，４０ｃ，Ｌ    レンズ
４０ｃ’    裏面
４１ａ，４１ｂ，４１ｃ    第２係着手段
４１０ｂ    凹状係着部
５ａ，５ｂ，５ｃ    封蓋ユニット
５０ａ，５０ｂ，５０ｃ    封蓋本体
５１ａ，５１ｂ，５１ｃ    凸部
６ａ，６ｂ    係止フックユニット
６０ａ，６０ｂ    係止フック手段
Ｓ    光
Ｐ１，Ｐ２，Ｐ３，Ｐ４    投射光
【図１Ａ】
2010108844.tif 000003
【図１Ｂ】
2010108844.tif 000004
【図１Ｃ】
2010108844.tif 000005
【図１Ｄ】
2010108844.tif 000006
【図１Ｅ】
2010108844.tif 000007
【図２Ａ】
2010108844.tif 000008
【図２Ｂ】
2010108844.tif 000009
【図２Ｃ】
2010108844.tif 000010
【図２Ｄ】
2010108844.tif 000011
【図３Ａ】
2010108844.tif 000012
【図３Ｂ】
2010108844.tif 000013
【図３Ｃ】
2010108844.tif 000014